(57)【要約】  本発明の目的はディスプレイに対する色相補正が可能であるので比較的精巧な視力訓練が可能な視力訓練装置を提供するものである。前記目的を達成するための本発明による視力訓練装置は使用者眼球の視野方向に配置される光学的性質を有したカラーフィルタと；ディスプレイと；前記ディスプレイのイメージ情報を調節することができる使用者操作部と；前記カラーフィルタのカラーと類似範囲内にある基準カラーイメージを前記ディスプレイに表示し、前記使用者操作部を通じて前記ディスプレイに対する補正確認信号が入力されると前記補正確認信号を補正値として保存する制御部を含む。【選択図】図１
2021514209.tif 000002
【特許請求の範囲】
【請求項１】
視力訓練装置において、
使用者眼球の視野方向に配置される光学的性質を有したカラーフィルタと；
ディスプレイと；
前記ディスプレイのイメージ情報を調節することができる使用者操作部と；
前記カラーフィルタのカラーと類似範囲内にある基準カラーイメージを前記ディスプレイに表示し、前記使用者操作部を通じて前記ディスプレイに対する補正確認信号が入力されると前記補正確認信号を補正値として保存する制御部を含む、視力訓練装置。
【請求項２】
前記制御部は、
前記光学的性質を有する前記カラーフィルタに対応する前記基準カラーイメージの前記イメージ情報が調節されるように前記使用者操作部を制御する、請求項１に記載の視力訓練装置。
【請求項３】
前記制御部は、
前記ディスプレイに表示された前記基準カラーイメージのＲＧＢ値、透明度、コントラスト比及び明るさのうち少なくとも一つを調節し、前記使用者操作部を通じて前記ディスプレイに対する補正確認信号が入力されると前記補正確認信号を前記補正値として保存する、請求項１に記載の視力訓練装置。
【請求項４】
前記制御部は、
前記ディスプレイに前記補正値が反映された一対の融像イメージを表示して前記一対の融像イメージが互いに離隔または接近するように前記ディスプレイを制御し、前記使用者操作部を通じてイメージ分離確認信号が入力される場合、前記一対の融像イメージ間距離情報を融像幅情報として保存する、請求項１に記載の視力訓練装置。
【請求項５】
前記制御部は、
認識イメージに前記認識イメージの視覚的認識を抑制する認識抑制イメージをオーバーラップして前記ディスプレイに表示して前記認識抑制イメージの濃度値が変わるように前記ディスプレイを制御し、前記使用者操作部を通じて視認度変更確認信号が入力される場合、前記視認度変更確認信号が入力される時の前記認識抑制イメージの濃度値を認識度情報として保存する、請求項１に記載の視力訓練装置。
【請求項６】
前記光学的性質を有するカラーフィルタは、
両眼視分離のためにフィルタの格子方向への振動する光だけを通過させる偏光または隣接補色関係で構成される、請求項１に記載の視力訓練装置。
【発明の詳細な説明】
【技術分野】
【０００１】
本発明は融像輻輳力及び空間視覚訓練が可能な視力訓練装置に関するものである。
【背景技術】
【０００２】
融像輻輳力と空間視覚訓練が可能な視力訓練装置は両眼球の前方にそれぞれ配置される相互補色関係の一対のカラーフィルタと、その前でカラーフィルタと対応するカラーと補色関係のカラーを表示することができるディスプレイを含む。ここでディスプレイに表示されるイメージのカラーはカラーフィルタに対応されるカラーで使用者がカラーイメージを見る時、それに対応するカラーフィルタが適用された目ではイメージを完全に認識することができないようにして反対側の目に適用されたカラーフィルタだけを通して認識することができるようにすることが訓練に効果的である。
【０００３】
しかしながら、市販されているディスプレイ毎にカラー特性が異なって使用者毎に色相感知能力が異なるので訓練前別途の色相補正が伴わない場合、視力訓練の効果が低い。
【発明の概要】
【発明が解決しようとする課題】
【０００４】
本発明の目的はディスプレイに対する色相補正が可能であるので比較的精巧な視力訓練が可能な視力訓練装置を提供するものである。
【課題を解決するための手段】
【０００５】
前記目的を達成するための本発明による視力訓練装置は使用者眼球の視野方向に配置される光学的性質を有したカラーフィルタと；ディスプレイと；前記ディスプレイのイメージ情報を調節することができる使用者操作部と；前記カラーフィルタのカラーと類似範囲内にある基準カラーイメージを前記ディスプレイに表示し、前記使用者操作部を通じて前記ディスプレイに対する補正確認信号が入力されると前記補正確認信号を補正値として保存する制御部を含む。
【０００６】
ここで前記制御部は前記光学的性質を有する前記カラーフィルタに対応する前記基準カラーイメージの前記イメージ情報が調節されるように前記使用者操作部を制御することが好ましい。
【０００７】
そして前記制御部は前記ディスプレイに表示された前記基準カラーイメージのＲＧＢ値、透明度、コントラスト比及び明るさのうち少なくとも一つを調節し、前記使用者操作部を通じて前記ディスプレイに対する補正確認信号が入力されると前記補正確認信号を前記補正値として保存することが好ましい。
【０００８】
また、前記制御部は前記ディスプレイに前記補正値が反映された一対の融像イメージを表示して前記一対の融像イメージが互いに離隔または接近するように前記ディスプレイを制御し、前記使用者操作部を通じてイメージ分離確認信号が入力される場合、前記一対の融像イメージ間距離情報を融像幅情報として保存することが好ましい。
【０００９】
そして前記制御部は認識イメージに前記認識イメージの視覚的認識を抑制する認識抑制イメージをオーバーラップして前記ディスプレイに表示して前記認識抑制イメージの濃度値が変わるようにpa-miyazaki@itohpat.co.jp前記ディスプレイを制御し、前記使用者操作部を通じて視認度変更確認信号が入力される場合、前記視認度変更確認信号が入力される時の前記認識抑制イメージの濃度値を認識度情報として保存することが好ましい。
【００１０】
また、前記光学的性質を有するカラーフィルタは両眼視分離のためにフィルタの格子方向への振動する光だけを通過させる偏光または隣接補色関係で構成されることが好ましい。
【発明の効果】
【００１１】
本発明による視力訓練装置はディスプレイに対する色相補正が可能であるので比較的精巧な空間視覚、融像輻輳力視力訓練が可能である。
【図面の簡単な説明】
【００１２】
【図１】本発明による視力訓練装置を示した斜視図である。
【００１３】
【図２】本発明による視力訓練装置の構成図である。
【００１４】
【図３】本発明による補正モードを説明するためのフローチャートである。
【００１５】
【図４】（Ａ）乃至（Ｃ）は図３の補正モードを説明するための参考図である。
【００１６】
【図５】融像輻輳力訓練のための融像輻輳力測定モードを説明するためのフローチャートである。
【００１７】
【図６】（Ａ）、（Ｂ）は図５の融像輻輳力測定モードを説明するための参考図である。
【００１８】
【図７】融像輻輳力訓練モードを説明するための順序図である。
【００１９】
【図８】空間視覚訓練のための空間視覚測定モードを説明するためのフローチャートである。
【００２０】
【図９】（Ａ）、（Ｂ）は図８の空間視覚測定モードを説明するための参考図である。
【００２１】
【図１０】空間視覚訓練モードを説明するためのフローチャートである。
【発明を実施するための形態】
【００２２】
図１は本発明による視力訓練装置を示した斜視図である。図１で見ることができるように、本発明による視力訓練装置は接眼部を有するフレーム（１００）を含む。フレーム（１００）は使用者の頭に着用可能である。接眼部は使用者眼球の視野方向に配置され、接眼部には光学的性質を有したカラーフィルタ（２０１、２０２）が取り付けられる。接眼部にはカラーフィルタ（２０１、２０２）と重畳的に多様な屈折率を有するレンズが設置されることができる。ここで、各眼球の前方に配置される一対の光学的性質を有したカラーフィルタ（２０１、２０２）はそれぞれ相互補色関係または隣接補色関係にあるカラーを採択する。例えば、いずれか一つのカラーフィルタが赤色の場合、他の一つのカラーフィルタは青緑色を採択する。勿論、これは一つの例示であり、黄色と紫色のように他の相互隣接補色関係であるカラーを採択することもできる。このような一対の光学的性質を有したカラーフィルタ（２０１、２０２）は交替可能である。
【００２３】
フレーム（１００）は接眼部に取り付けられた光学的性質を有したカラーフィルタ（２０１、２０２）の前方で所定間隔を隔ててディスプレイ（３００）が取り付けられることができる取付部（１３０）を有する。ディスプレイ（３００）は取付部（１３０）に対して脱着可能に取り付けられる。ディスプレイ（３００）は視力訓練のための専用デバイスであるか視力訓練のためのプログラムが設置された通常的なモバイルデバイスであり得る。本視力訓練装置はディスプレイ（３００）がフレーム（１００）に取り付けられた状態またはフレーム（１００）に対して取り外された状態で訓練可能である。ディスプレイ（３００）がフレーム（１００）に対して取り外された状態で訓練を実施する場合、使用者の眼球から適正距離を隔てて実施することが好ましい。例えば、１ｍ以内の距離で実施する又は居間でＴＶを見るように１ｍ以上の距離を隔てて実施することもできる。ディスプレイ（３００）はフレーム（１００）と一体型に備えられることもできる。
【００２４】
図２は本発明による視力訓練装置の構成図である。図２に示されたように、本視力訓練装置はディスプレイ（３００）のイメージ情報を調節することができる使用者操作部（５００）を有する。イメージ情報はＲＧＢ値、透明度、コントラスト比及び明るさのうち少なくとも一つを含む。使用者操作部（５００）はディスプレイ（３００）と電気的または無線通信で連結される。使用者操作部（５００）はフレーム（１００）、ディスプレイ（３００）に設けられることができる又は別途の構成で備えられることができる。
【００２５】
そして本視力訓練装置はカラーフィルタ（２０１、２０２）のカラーと類似範囲内にある基準カラーイメージ（１、図４を参照）をディスプレイ（３００）に表示することができる制御部（７００）と外部機器と連結されてデータを送受信することができる通信部（９００）及び多様な種類のデータが保存されることができるメモリ（８００）を含む。
【００２６】
制御部（７００）はフレーム（１００）に取り付けられた各カラーフィルタ（２０１、２０２）の色相情報を予め入力してもらい、入力された各カラーフィルタの色相情報を基にその色相と類似範囲内にある基準カラーイメージをディスプレイ（３００）に表示する。例えば、使用者の左眼側に配置されたカラーレンズ（２０２）の色相が赤色系列であるという色相情報を予め入力してもらった場合、ＲＧＢ値のＲ値が２５５、Ｇ値が０、Ｂ値が０である基準カラーイメージをディスプレイ（３００）に表示する。これは一つの例示であり、基準カラーイメージのＲＧＢ値は設定によって変更可能である。しかしながら、このような基準カラーイメージ（１）は各カラーフィルタ（２０１、２０２）の色相と正確に一致し難く、ディスプレイ（３００）毎にＲＧＢ値を表現する色相が一致しないのでより精巧な訓練のために色相補正が必要である。
【００２７】
図３は本発明による補正モードを説明するためのフローチャートであり、図４（Ａ）乃至（Ｃ）は図３の補正モードを説明するための参考図である。これらの図面を参照して補正モードを説明する。補正モードは使用者の左眼と右眼に対して個別的になされる。左眼と右眼に対する補正モードの順序は制御部（７００）が任意に選択することができる又は使用者が選択することができる。例えば、左眼に対する補正モードが実施された後に右眼に対する補正モードが実施される。左眼に対する補正モードが実施される時に右眼の視野を遮断する遮断膜が配置されることができる。制御部（７００）は左眼と右眼の前方に配置されたカラーフィルタ（２０１、２０２）に対する色相情報を予め入力してもらう。本補正モードは使用者が視力訓練を初めて始める時になされることが好ましい。勿論、使用者が任意に補正モードを実施することもできる。
【００２８】
先ず、使用者は本視力訓練装置を着用した状態で補正モードを実施する（Ｓ１１）。左眼と右眼のうち赤色系列のカラーフィルタ（２０２）が配置された左眼に対する補正モードが先に実施されることを仮定する。補正モードが実施されると、制御部（７００）は赤色系列のカラーフィルタ（２０２）の色相情報による赤色系列カラーと類似範囲内にある基準カラーイメージ（１）をディスプレイ（３００）に表示する（Ｓ１２）。
【００２９】
このようにディスプレイ（３００）に基準カラーイメージ（１）が表示された場合、使用者はディスプレイ（３００）に表示された基準カラーイメージ（１）が認識されないように使用者操作部（５００）を通じてディスプレイ（３００）のＲＧＢ値、透明度、コントラスト比及び明るさのうち少なくとも一つを調節する。例えば、図４（Ａ）のようにディスプレイに表示されたＲＧＢ値のうちＲ値が２５５、Ｇ値とＢ値が０である状態で図４（Ｂ）及び（Ｃ）のようにＧ値とＢ値のうち少なくとも一つの値を変化させることができる。赤色系列のカラーフィルタ（２０２）の場合、ディスプレイ（３００）のＲＧＢ値のうちＧ値とＢ値のうち少なくとも一つを調節することが好ましい。一方、緑色系列のカラーフィルタの場合、ディスプレイ（３００）のＲＧＢ値のうちＲ値とＢ値のうち少なくとも一つの値を調節することが好ましい。青色系列のカラーフィルタの場合、ディスプレイ（３００）のＲＧＢ値のうちＲ値とＧ値のうち少なくとも一つの値を調節することが好ましい。制御部（７００）は前述したようにカラーフィルタの色相によってＲＧＢ値のうち調節可能なＲ値、Ｇ値及びＢ値のうち少なくとも一つの値が調節されるように使用者操作部（５００）を制御することが好ましい。
【００３０】
ＲＧＢ値の調節だけで基準カラーイメージ（１）が認識されないように調節可能であれば透明度、コントラスト比、明るさの調節を省略することができる。しかしながら、ＲＧＢ値の調節だけで不十分であれば、透明度、コントラスト比及び明るさの調節を実施する。ＲＧＢ値、透明度、コントラスト比及び明るさの調節順序は変更可能である。例えば、透明度の調節と明るさの調節を先に実施した後にＲＧＢ値を調節することができる。
【００３１】
制御部（７００）はディスプレイ（３００）にＲＧＢ値、透明度、コントラスト比及び明るさのうち少なくとも一つの値が容易に調節されることができるようにディスプレイ（３００）にＲＧＢ値、透明度、コントラスト比及び明るさを順次的に調節することができるように聴覚的または視覚的にガイドすることができる。
【００３２】
使用者はディスプレイ（３００）に表示された基準カラーイメージ（１）が認識されないようにＲＧＢ値、透明度、コントラスト比及び明るさのうち少なくとも一つを調節した後、調節されたＲＧＢ値、透明度、コントラスト比及び明るさ値をディスプレイ（３００）に対する補正確認信号として入力する。制御部（７００）は入力された補正確認信号を補正値としてメモリ（８００）に保存する（Ｓ１３）。
【００３３】
一方、前述したように使用者が直接ディスプレイ（３００）に対するＲＧＢ値等を調節せず、制御部（７００）がディスプレイ（３００）に表示された基準カラーイメージ（１）のＲＧＢ値、透明度、コントラスト比及び明るさのうち少なくとも一つを連続的または断続的に変化させ、制御部（７００）が基準カラーイメージ（１）を変化させる中に使用者操作部（５００）を通じて入力される補正確認信号を補正値として保存することができる。左眼に対する補正値が保存された場合、反対側である右眼に対する補正モードが実施されるようにする。右眼に対する補正モードは前述した左眼の補正モードの過程と同様である。
【００３４】
補正モードによって補正値が保存されると、制御部（７００）は補正値が反映されたＲＧＢ値、透明度、コントラスト比及び明るさ値を適用して融像輻輳力及び空間視覚訓練が実施されるようにする。融像輻輳力訓練は左眼と右眼が別に認識するイメージを一つのイメージに融像する能力を向上させる訓練であり、空間視覚訓練は左眼と右眼でそれぞれ認識するイメージのうち比較的空間視覚が高い眼球で受け入れるイメージだけを使用する現象を減らすための訓練である。
【００３５】
融像輻輳力訓練について説明する。図５は融像輻輳力訓練のための融像輻輳力測定モードを説明するためのフローチャートであり、図６は図５の融像輻輳力測定モードを説明するための参考図である。これらの図面を参照して融像輻輳力訓練について説明する。融像輻輳力訓練は測定モードと訓練モードからなる。先ず、使用者が融像輻輳力測定モードを実施（Ｓ２１）する場合、制御部（７００）は補正モードで予め保存された補正値が適用された相互隣接補色関係である一対の融像イメージ（２、３）を図６（Ａ）のように互いに重ねた状態でディスプレイ（３００）に表示する（Ｓ２２）。ここで、一対の融像イメージ（２、３）はそれぞれ補正値が適用された相互補色関係である赤色系列の融像イメージ（２）と青緑色系列の融像イメージ（３）と仮定する。この時、使用者の各眼球はそれぞれ一対の融像イメージ（２、３）のうちいずれか一つの融像イメージだけを認識することができる。例えば、左眼に赤色系列のカラーフィルタ（２０２）が配置された場合、赤色の融像イメージ（２）は認識することができず、右眼に青緑色系列のカラーフィルタ（２０１）が配置された場合、青緑色の融像イメージ（３）は認識することができない。このように一対の融像イメージ（２、３）が互いに重ねた状態の場合、使用者は当然に一対の融像イメージ（２、３）を一つのイメージとして認識する。一対の融像イメージ（２、３）は予め設定された間隔だけ互いに少し離隔された状態でもあり得る。
【００３６】
そして制御部（７００）は図６（Ｂ）のように一対の融像イメージ（２、３）を互いに漸進的に離隔させる（Ｓ２３）。このように一対の融像イメージ（２、３）が互いに漸進的に離隔されても使用者が有する固有の融像輻輳力によって所定の離隔範囲内では使用者は一対の融像イメージ（２、３）が互いに離隔されない一つのイメージとして認識する。そして使用者は一対の融像イメージ（２、３）が離隔される中のある瞬間、一対の融像イメージ（２、３）が互いに分離されたイメージとして認識する。
【００３７】
制御部（７００）は使用者操作部（５００）を通じてイメージ分離確認信号が入力されるかを確認する（Ｓ２４）。使用者は一対の融像イメージ（２、３）が互いに分離される瞬間にイメージ分離確認信号を入力する。
【００３８】
制御部（７００）はイメージ分離確認信号が入力されると、このイメージ分離確認信号が有する一対の融像イメージ間の距離情報（ｄ）を融像幅情報として保存する（Ｓ２５）。
【００３９】
一方、一対の融像イメージが予め指定された距離だけ互いに離隔された状態で互いに漸進的に接近する時に入力されるイメージ合体確認信号を測定することもできる。この場合、使用者は一対の融像イメージが互いに合体される瞬間にイメージ合体確認信号を入力する。イメージ合体確認信号が入力された時の一対の融像イメージ間距離情報を融像幅情報として保存及び活用することができる。
【００４０】
図７は融像輻輳力訓練モードを説明するためのフローチャートである。図７を参照して融像輻輳力訓練モードを説明する。先ず、使用者が融像輻輳力訓練モードを実施すると（Ｓ３１）、予め保存された融像幅情報を基に融像幅訓練区間を設定する（Ｓ３２）。融像幅訓練区間は一対の融像イメージが互いに接近または離隔する移動範囲を意味する。このような融像幅訓練区間は融像幅測定モードで測定された融像幅情報の融像イメージ間距離情報を基準に設定することが好ましい。
【００４１】
そして制御部（７００）は設定された訓練区間内で一対の融像イメージ（２、３）が互いに接近または離隔するようにディスプレイ（３００）を制御する（Ｓ３３）。このような融像輻輳力訓練は使用者が両眼を通じて認識するイメージが融像状態と非融像状態を交番する又は測定された融像幅情報を基準に最大範囲内で繰り返すことによって使用者の融像輻輳力を改善することができる。
【００４２】
そして融像輻輳力測定及び訓練でそれぞれの目に一つ以上の偏光フィルタを使用して補色関係または隣接補色関係で構成された光学的性質を有したカラーフィルタと同一の両眼視分離効果を具現することができ、ディスプレイ（３００）の偏光特性に合わせて偏光フィルタの格子方向を自動的にセッティングする又は使用者操作部（５００）を通じて調節することができる。
【００４３】
一方、空間視覚訓練は測定モードと訓練モードからなる。空間視覚測定モードは左眼と右眼に対して個別的になされる。左眼に対する空間視覚測定モードが先に実施される場合、右眼の視野を遮断する遮断膜が配置されることができる。
【００４４】
図８は空間視覚訓練のための空間視覚測定モードを説明するためのフローチャートであり、図９は図８の空間視覚測定モードを説明するための参考図である。これらの図面を参照して空間視覚訓練について説明する。先ず、赤色系列のカラーフィルタ（２０２）が配置された左眼の空間視覚測定モードを先に実施するものと仮定する。使用者が空間視覚測定モードを実施する場合（Ｓ４１）、制御部（７００）は黒色の認識イメージ（４）と認識イメージ（４）に補正値が反映された赤色系列の認識抑制イメージ（５）をオーバーラップしてディスプレイ（３００）に表示する（Ｓ４２）。この時、オーバーラップされる認識抑制イメージ（５）の最初濃度は図９（Ａ）のように認識イメージ（４）の認識を完全に遮断する１００％濃度値を有するように設定される。
【００４５】
そして制御部（７００）は認識抑制イメージ（５）の濃度値が図９（Ｂ）のように漸進的に低くなるようにディスプレイ（３００）を制御する（Ｓ４３）。認識抑制イメージ（５）の濃度値が低くなりながら認識抑制イメージ（５）によって隠された黒色の認識イメージ（４）が次第に現れるようになる。ここで、制御部（７００）は認識抑制イメージ（５）の濃度値が予め指定された割合で断続的に減少するようにディスプレイ（３００）を制御する又は連続的に減少するようにディスプレイ（３００）を制御することができる。
【００４６】
制御部（７００）は認識抑制イメージ（５）の濃度値が変わる中、使用者操作部（５００）から視認度変更確認信号が入力されるかを確認する（Ｓ４４）。視認度変更確認信号は認識抑制イメージ（５）の濃度値が変わる中、使用者が認識イメージ（４）を認識する時点に使用者操作部（５００）を通じて入力される信号である。視認度変更確認信号は使用者によって入力された時点における濃度値の情報を含む。濃度値はＲＧＢ値、透明度、コントラスト比及び明るさ情報を含むことができる。
【００４７】
制御部（７００）は視認度変更確認信号の入力を受けた場合、視認度変更確認信号に含まれた濃度値を認識度情報として保存する（Ｓ４５）。以後、一対の眼球のうち反対側の眼球に対する認識度情報も前述したような方式で測定して保存する。
【００４８】
一方、認識抑制イメージ（５）の濃度を１００％から始めずに０％から増加する方式で認識度を測定することができる。この場合、使用者は認識イメージ（４）を初めから認識することができる。しかしながら、次第に認識抑制イメージ（５）の濃度値が増加しながら使用者は認識イメージ（４）を認識することができなくなる。この場合、視認度変更確認信号は使用者が認識イメージ（４）を認識することができない時に入力される。
【００４９】
図１０は空間視覚訓練モードを説明するためのフローチャートである。図１０を参照して空間視覚訓練モードを説明する。先ず、使用者が空間視覚訓練モードを実施すると（Ｓ５１）、予め保存された両眼球に対する認識度情報を基に弱視眼と非弱視眼の眼球を決定する（Ｓ５２）。ここで、弱視眼と非弱視眼は各眼球の認識度情報に含まれた濃度値がさらに低い側を弱視眼に決定し、比較的濃度値が高い側を非弱視眼に決定する。
【００５０】
両眼に対して弱視眼と非弱視眼が決定されると、各眼球の認識度訓練のための認識抑制イメージの訓練濃度値を設定する（Ｓ５３）。この時、弱視眼の訓練濃度値は測定された濃度値より所定だけ高く設定し、非弱視眼の訓練濃度値は測定された濃度値より所定だけ低く設定する。例えば、弱視眼の測定された濃度値が７０％の場合、７１乃至７５％の濃度値を訓練濃度値に設定し、非弱視眼の測定された濃度値が８０％の場合、７０乃至７９％の濃度値を訓練濃度値に設定する。
【００５１】
このように決定された弱視眼と非弱視眼の訓練濃度値を有する認識抑制イメージをそれぞれの黒色認識イメージの上にオーバーラップしてディスプレイ（３００）に表示する（Ｓ５４）。即ち、黒色の認識イメージに弱視眼の訓練濃度値を有する認識抑制イメージがオーバーラップされたイメージと、黒色の認識イメージに非弱視眼の訓練濃度値を有する認識抑制イメージがオーバーラップされたイメージを同時にディスプレイ（３００）に表示する。この場合、赤色と青緑色は互いに補色関係であって、カラーフィルタ（２０１、２０２）と補色関係にある認識抑制イメージがオーバーラップされたイメージは黒色だけに見えて認識することができない。例えば、左眼に赤色系列のカラーフィルタ（２０２）が配置された場合、青緑色の認識抑制イメージがオーバーラップされた認識イメージは視覚的に認識することができない。しかしながら、左眼は訓練濃度値が適用された赤色の認識抑制イメージに被せられた認識イメージを見ることができる。一方、右眼に青緑色系列のカラーフィルタ（２０１）が配置された場合、赤色系列の認識抑制イメージがオーバーラップされた認識イメージは視覚的に認識することができない。しかしながら、右眼は訓練濃度値が適用された青緑色の認識抑制イメージに被せられた認識イメージを見ることができる。
【００５２】
このように弱視眼の訓練濃度値は測定された濃度値より比較的高く設定されることによって使用者は弱視眼で認識イメージを視覚的に認識するために高い集中力を発揮するようになる。このように比較的高い集中力を要求することによって弱視眼の空間視覚を訓練させることができる。ここで、訓練濃度値は所定範囲内で変化するように設定することができる。空間視覚訓練は前述したように、両眼球を同時に訓練することが好ましい。空間視覚訓練は各眼球別に実施することもできる。
【００５３】
そして空間視覚測定及び訓練でそれぞれの目に一つ以上の偏光フィルタを使用して補色関係または隣接補色関係で構成された光学的性質を有したカラーフィルタと同一の両眼視分離効果を具現することができる。また、偏光フィルタを複層構造で構成して一つを固定させて残りの一つを回転可能にして二重偏光フィルタ構造の関係が固定された偏光フィルタの格子を基準に回転可能な偏光フィルタの格子が互いに鋭角（０度乃至９０度の間）の関係を有することができるように調節して補色関係または隣接補色関係で構成された光学的性質を有したカラーフィルタで実施する空間視覚測定及び訓練と同一の効果を見ることができる。
【００５４】
また、各目に対して一つ以上の偏光フィルタで構成されたフィルタは使用者操作部を通じて入力を受けた視認度変更確認信号の値に対応される偏光フィルタの格子関係を調節することができる。勿論、二重偏光フィルタで両方とも回転が可能にすることもできる。
【図１】
2021514209.tif 000003
【図２】
2021514209.tif 000004
【図３】
2021514209.tif 000005
【図４（Ａ）】
2021514209.tif 000006
【図４（Ｂ）】
2021514209.tif 000007
【図４（Ｃ）】
2021514209.tif 000008
【図５】
2021514209.tif 000009
【図６（Ａ）】
2021514209.tif 000010
【図６（Ｂ）】
2021514209.tif 000011
【図７】
2021514209.tif 000012
【図８】
2021514209.tif 000013
【図９（Ａ）】
2021514209.tif 000014
【図９（Ｂ）】
2021514209.tif 000015
【図１０】
2021514209.tif 000016
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
シャシーと；
第１の光学フィルタ及び第２の光学フィルタであって：（ａ）前記第１の光学フィルタ及び前記第２の光学フィルタは、両方前記シャシー内に含まれ、（ｂ）前記第１の光学フィルタは第１の色を有し、前記第２の光学フィルタは第２の色を有し、（ｃ）前記第１の色は、第１の赤値、第１の緑値及び第１の青値の組み合わせに基づく第１の赤緑青（ＲＧＢ）値によって規定され、（ｄ）前記第２の色は、第２の赤値、第２の緑値及び第２の青値の組み合わせに基づく第２のＲＧＢ値によって規定され、（ｅ）前記第１のＲＧＢ値は前記第２のＲＧＢ値に等しくない、第１の光学フィルタ及び第２の光学フィルタと；
少なくとも１つの機械可読媒体であって、少なくとも１つの機械によって使用されるとき、前記少なくとも１つの機械に：
電子ディスプレイと前記第２の光学フィルタとの間の視線が遮られている間に前記電子ディスプレイにイメージを表示することと：
前記イメージに対する第１の表示特性を変更することであって、前記第１の表示特性は、ＲＧＢ値、透明度、コントラスト比、明るさ、又はそれらの組み合わせのうちの少なくとも１つを含む、変更することと：
変更された前記第１の表示特性に基づく前記イメージをユーザが認識できないことに対応する通信を受信することと；
少なくとも１つのメモリに前記変更された第１の表示特性を格納することと；
格納された前記変更された第１の表示特性に基づいて前記ユーザとの視覚訓練を行うことと；
を含む動作を実行させる、データを格納した、少なくとも１つの機械可読媒体と；
を有する、
システム。
【請求項２】
前記第１の色は、緑よりも赤であり、前記第２の色は赤よりも緑である、
請求項１に記載のシステム。
【請求項３】
前記シャシーは、前記電子ディスプレイを、前記第１及び前記第２の光学フィルタから固定された距離に結合するためのカプラを含む、
請求項１に記載のシステム。
【請求項４】
前記イメージに対する前記第１の表示特性を変更することは、前記システムのユーザによる手動入力に応じて前記イメージに対する前記第１の表示特性を変更することを含み、前記手動入力は、前記第１の表示特性の調整を引き起こす、
請求項１に記載のシステム。
【請求項５】
前記イメージに対する前記第１の表示特性を変更することは、前記第１のＲＧＢ値に基づいて前記イメージに対する前記第１の表示特性を変更することを含む、
請求項１に記載のシステム。
【請求項６】
前記動作は、メモリに前記第１のＲＧＢ値を格納することを含み、前記イメージに対する前記第１の表示特性を変更することは、格納された前記第１のＲＧＢ値に基づいて前記イメージに対する前記第１の表示特性を変更することを含む、
請求項１に記載のシステム。
【請求項７】
前記視覚訓練は、融像輻輳力訓練、空間視覚訓練、又はそれらの組み合わせのうちの少なくとも１つを含む、
請求項１に記載のシステム。
【請求項８】
前記動作は：
第１の融像輻輳力イメージ及び第２の融像輻輳力イメージを表示することであって、（ａ）前記第１の融像輻輳力イメージは、格納された前記変更された第１の表示特性及び前記第１のＲＧＢ値の両方に基づく第１の融像輻輳力色を有し、（ｂ）前記第２の融像輻輳力イメージは、追加の変更された第１の表示特性及び前記第２のＲＧＢ値の両方に基づく第２の融像輻輳力色を有する、表示することと；
前記第１及び前記第２の融像輻輳力イメージを互いにオーバーラップさせることと；
表示された前記第１及び前記第２の融像輻輳力イメージを互いから離れて動かすことと；
前記表示された前記第１及び前記第２の融像輻輳力イメージを互いから離れて動かすことに応じて融像輻輳力に関する通信を受信することと；
前記融像輻輳力に関する通信を受信することに応じて、前記第１の融像輻輳力イメージと前記第２の融像輻輳力イメージとの間の融像輻輳力距離を決定することと；
を含む、
請求項１に記載のシステム。
【請求項９】
前記動作は：
前記融像輻輳力距離を決定することに応じて融像輻輳力訓練を実行すること；を含み、
前記融像輻輳力距離を決定することに応じて前記融像輻輳力訓練を実行することは、前記融像輻輳力距離を決定することに応じて、（ａ）前記第１の融像輻輳力イメージ及び前記第２の融像輻輳力イメージ、（ｂ）追加の第１の融像輻輳力イメージ及び第２の融像輻輳力イメージ、又は（ｃ）それらの組み合わせ、のうちの少なくとも１つの間の距離を変化させることを含む、
請求項８に記載のシステム。
【請求項１０】
前記表示された前記第１及び前記第２の融像輻輳力イメージを互いから離れて動かすことに応じて融像輻輳力に関する通信を受信することは、前記ユーザが前記第１及び前記第２の融像輻輳力イメージを互いから視覚的に引き離すことに対応する、
請求項８に記載のシステム。
【請求項１１】
前記動作は：
第１の融像輻輳力イメージ及び第２の融像輻輳力イメージを表示することであって、（ａ）前記第１の融像輻輳力イメージは、格納された前記変更された第１の表示特性及び前記第１のＲＧＢ値の両方に基づく第１の融像輻輳力色を有し、（ｂ）前記第２の融像輻輳力イメージは、追加の変更された第１の表示特性及び前記第２のＲＧＢ値の両方に基づく第２の融像輻輳力色を有する、表示することと；
表示された前記第１及び前記第２の融像輻輳力イメージを互いに関して：（ａ）前記表示された第１及び第２の融像輻輳力イメージを互いに向かって動かすことと、（ｂ）前記表示された第１及び第２の融像輻輳力イメージを互いから離れて動かすこととのうちの少なくとも一方によって、動かすことと；
前記表示された第１及び第２の融像輻輳力イメージを互いに関して動かすことに応じて融像輻輳力に関する通信を受信することと；
前記融像輻輳力に関する通信を受信することに応じて、前記第１の融像輻輳力イメージと前記第２の融像輻輳力イメージとの間の融像輻輳力距離を決定することと；
を含む、
請求項１に記載のシステム。
【請求項１２】
前記動作は：
前記電子ディスプレイと前記第２の光学フィルタとの間の前記視線が遮られている間に第１の空間視覚イメージ及び第２の空間視覚イメージを表示することであって、（ａ）前記第１の空間視覚イメージは、格納された前記変更された第１の表示特性及び前記第１のＲＧＢ値の両方に基づく第１の空間視覚色を有し、（ｂ）前記第２の空間視覚イメージは、第２の空間視覚色を有する、表示することと；
表示された前記第１及び前記第２の空間視覚イメージを互いにオーバーラップさせることと；
前記第１及び前記第２の空間視覚イメージが互いにオーバーラップされている間に、前記第１及び前記第２の空間視覚イメージの少なくとも一方に対する第２の表示特性を変更することであって、変更された前記第２の表示特性は、ＲＧＢ値、透明度、コントラスト比、明るさ、又はそれらの組み合わせのうちの少なくとも１つを含む、変更することと：
前記第１及び前記第２の空間視覚イメージの少なくとも一方に対する前記第２の表示特性を変更することに応じて空間視覚に関する通信を受信することと；
前記空間視覚に関する前記通信を受信すること及び前記少なくとも１つのメモリに前記変更された第１の表示特性を格納することに応じて、前記第１及び前記第２の空間視覚イメージの少なくとも一方に対する変更された前記第２の表示特性を決定することと；
を含む、
請求項１に記載のシステム。
【請求項１３】
前記第１及び前記第２の空間視覚イメージの少なくとも一方に対する前記第２の表示特性を変更することに応じて空間視覚に関する通信を受信することは、前記ユーザが前記第１及び前記第２の空間視覚イメージを互いから視覚的に分離することに対応する、
請求項１２に記載のシステム。
【請求項１４】
前記動作は：
前記電子ディスプレイと前記第１の光学フィルタとの間の視線が遮られている間に追加の第１の空間視覚イメージ及び追加の第２の空間視覚イメージを表示することであって、（ａ）前記追加の第１の空間視覚イメージは、追加の変更された第１の表示特性及び前記第２のＲＧＢ値の両方に基づく追加の第１の空間視覚色を有し、（ｂ）前記追加の第２の空間視覚イメージは、追加の第２の空間視覚色を有する、表示することと；
表示された前記追加の第１及び前記追加の第２の空間視覚イメージを互いにオーバーラップさせることと；
前記追加の第１及び前記追加の第２の空間視覚イメージが互いにオーバーラップされている間に、前記追加の第１及び前記追加の第２の空間視覚イメージの少なくとも一方に対する追加の第２の表示特性を変更することであって、前記追加の第２の表示特性は、ＲＧＢ値、透明度、コントラスト比、明るさ、又はそれらの組み合わせのうちの少なくとも１つを含む、変更することと：
前記追加の第１及び前記追加の第２の空間視覚イメージの少なくとも一方に対する前記追加の第２の表示特性を変更することに応じて空間視覚に関する追加の通信を受信することと；
前記空間視覚に関する追加の通信を受信すること及び前記少なくとも１つのメモリに変更された前記追加の第２の表示特性を格納することに応じて、前記追加の第１及び前記追加の第２の空間視覚イメージの少なくとも一方に対する変更された前記追加の第２の表示特性を決定することと；
を含む、
請求項１２に記載のシステム。
【請求項１５】
前記動作は、前記変更された第２の表示特性を前記変更された追加の第２の表示特性と比較することを含む、
請求項１４に記載のシステム。
【請求項１６】
前記動作は、前記変更された第２の表示特性を前記変更された追加の第２の表示特性と比較することに応じて、前記ユーザの眼の一方が前記ユーザの目の他方より弱視であることを決定することを含む、
請求項１５に記載のシステム。
【請求項１７】
前記動作は、
追加された第１の空間視覚イメージ、追加された第２の空間視覚イメージ、及び追加された第３の空間視覚イメージを表示することであって、（ａ）前記追加された第１の空間視覚イメージは、前記変更された第２の表示特性に基づいて表示され、（ｂ）前記追加された第２の空間視覚イメージは、前記変更された追加の第２の表示特性に基づいて表示される、表示することと；
表示された前記追加された第３の空間視覚イメージを前記追加された第１の空間視覚イメージと同時にオーバーラップさせ、一方、同時に、前記表示された追加された第３の空間視覚イメージを前記追加された第２の空間視覚イメージと同時にオーバーラップさせることと；
を含む、
請求項１５に記載のシステム。
【請求項１８】
前記追加された第１の空間視覚イメージ対する調整可能な表示特性を調整しながら前記追加された第１の空間視覚イメージを表示することであって、前記追加された第１の空間視覚イメージ対する前記調整可能な表示特性は、ＲＧＢ値、透明度、コントラスト比、明るさ、又はそれらの組み合わせのうちの少なくとも１つを含む、表示することと；
前記追加された第２の空間視覚イメージ対する調整可能な表示特性を調整しながら前記追加された第２の空間視覚イメージを表示することであって、前記追加された第２の空間視覚イメージ対する前記調整可能な表示特性は、ＲＧＢ値、透明度、コントラスト比、明るさ、又はそれらの組み合わせのうちの少なくとも１つを含む、表示することと；
を含む、
請求項１７に記載のシステム。
【請求項１９】
データを格納した少なくとも１つの機械可読媒体であって、前記データは、少なくとも１つの機械によって使用されるとき、前記少なくとも１つの機械に：
電子ディスプレイにイメージを表示することと：
前記イメージに対する第１の表示特性を変更することであって、前記第１の表示特性は、赤、緑、青（ＲＧＢ）値、透明度、コントラスト比、明るさ、又はそれらの組み合わせのうちの少なくとも１つを含む、変更することと：
変更された前記第１の表示特性に基づく前記イメージをユーザが認識できないことに対応する通信を受信することと；
少なくとも１つのメモリに前記変更された第１の表示特性を格納することと；
格納された前記変更された第１の表示特性に基づいて前記ユーザとの視覚訓練を行うことと；
を含む、動作を実行させる、
少なくとも１つの機械可読媒体。
【請求項２０】
前記イメージに対する前記第１の表示特性を変更することは、第１の光学フィルタに対応する第１の赤、緑、青（ＲＧＢ）値に基づいて前記イメージに対する前記第１の表示特性を変更することを含む、
請求項１９に記載の少なくとも１つの機械可読媒体。
【請求項２１】
前記動作は：
第１の融像輻輳力イメージ及び第２の融像輻輳力イメージを表示することであって、（ａ）前記第１の融像輻輳力イメージは、格納された前記変更された第１の表示特性及び前記第１のＲＧＢ値の両方に基づく第１の融像輻輳力色を有し、（ｂ）前記第２の融像輻輳力イメージは、追加の変更された第１の表示特性及び第２の光学フィルタに対応する第２のＲＧＢ値に基づく第２の融像輻輳力色を有する、表示することと；
表示された前記第１及び前記第２の融像輻輳力イメージを互いに関して：（ａ）前記表示された第１及び第２の融像輻輳力イメージを互いに向かって動かすことと、（ｂ）前記表示された第１及び第２の融像輻輳力イメージを互いから離れて動かすこととのうちの少なくとも一方によって、動かすことと；
前記表示された前記第１及び前記第２の融像輻輳力イメージを互いに関して動かすことに応じて融像輻輳力に関するユーザ通信を受信することと；
前記融像輻輳力に関する前記ユーザ通信を受信することに応じて、前記第１の融像輻輳力イメージと前記第２の融像輻輳力イメージとの間の融像輻輳力距離を決定することと；
を含む、
請求項２０に記載の少なくとも１つの機械可読媒体。
【請求項２２】
前記動作は：
前記融像輻輳力距離を決定することに応じて融像輻輳力訓練を実行することを含み、
前記融像輻輳力距離を決定することに応じて融像輻輳力訓練を実行することは、前記融像輻輳力距離を決定することに応じて：（ａ）前記第１の融像輻輳力イメージと前記第２の融像輻輳力イメージとの間、（ｂ）追加の第１の融像輻輳力イメージと追加の第２の融像輻輳力イメージとの間、（ｃ）又はそれらの組み合わせ、のうちの少なくとも１つの距離を変化させることを含む、
請求項２１に記載の少なくとも１つの機械可読媒体。
【請求項２３】
前記動作は：
第１の空間視覚イメージ及び第２の空間視覚イメージを表示することであって、（ａ）前記第１の空間視覚イメージは、格納された前記変更された第１の表示特性及び前記第１のＲＧＢ値の両方に基づく第１の空間視覚色を有し、（ｂ）前記第２の空間視覚イメージは、第２の空間視覚色を有する、表示することと；
表示された前記第１及び前記第２の空間視覚イメージを互いにオーバーラップさせることと；
前記第１及び前記第２の空間視覚イメージが互いにオーバーラップされている間に、前記第１及び前記第２の空間視覚イメージの少なくとも一方に対する第２の表示特性を変更することであって、変更された前記第２の表示特性は、ＲＧＢ値、透明度、コントラスト比、明るさ、又はそれらの組み合わせのうちの少なくとも１つを含む、変更することと：
前記第１及び前記第２の空間視覚イメージの少なくとも一方に対する前記第２の表示特性を変更することに応じて空間視覚に関する通信を受信することと；
前記空間視覚に関する前記通信を受信すること及び前記少なくとも１つのメモリに前記変更された第１の表示特性を格納することに応じて、前記第１及び前記第２の空間視覚イメージの少なくとも一方に対する変更された前記第２の表示特性を決定することと；
を含む、
請求項２０に記載の少なくとも１つの機械可読媒体。
【請求項２４】
前記動作は：
追加の第１の空間視覚イメージ及び追加の第２の空間視覚イメージを表示することであって、（ａ）前記追加の第１の空間視覚イメージは、追加の変更された第１の表示特性及び第２の光学フィルタに対応する第２のＲＧＢ値の両方に基づく追加の第１の空間視覚色を有し、（ｂ）前記追加の第２の空間視覚イメージは、追加の第２の空間視覚色を有する、表示することと；
表示された前記追加の第１及び前記追加の第２の空間視覚イメージを互いにオーバーラップさせることと；
前記追加の第１及び前記追加の第２の空間視覚イメージが互いにオーバーラップされている間に、前記追加の第１及び前記追加の第２の空間視覚イメージの少なくとも一方に対する追加の第２の表示特性を変更することであって、前記追加の第２の表示特性は、ＲＧＢ値、透明度、コントラスト比、明るさ、又はそれらの組み合わせのうちの少なくとも１つを含む、変更することと：
前記追加の第１及び前記追加の第２の空間視覚イメージの少なくとも一方に対する前記追加の第２の表示特性を変更することに応じて空間視覚に関する追加の通信を受信することと；
前記空間視覚に関する追加の通信を受信すること及び前記少なくとも１つのメモリに変更された前記追加の第２の表示特性を格納することに応じて、前記追加の第１及び前記追加の第２の空間視覚イメージの少なくとも一方に対する変更された前記追加の第２の表示特性を決定することと；
を含む、
請求項２３に記載の少なくとも１つの機械可読媒体。
【請求項２５】
前記動作は、前記変更された第２の表示特性を前記変更された追加の第２の表示特性と比較することを含む、
請求項２４に記載の少なくとも１つの機械可読媒体。
【請求項２６】
前記動作は、
追加された第１の空間視覚イメージ、追加された第２の空間視覚イメージ、及び追加された第３の空間視覚イメージを表示することであって、（ａ）前記追加された第１の空間視覚イメージは、前記変更された第２の表示特性に基づいて表示され、（ｂ）前記追加された第２の空間視覚イメージは、前記変更された追加の第２の表示特性に基づいて表示される、表示することと；
表示された前記追加された第３の空間視覚イメージを前記追加された第１の空間視覚イメージと同時にオーバーラップさせ、一方、同時に、前記表示された追加された第３の空間イメージ画像を前記追加された第２の空間視覚イメージと同時にオーバーラップさせることと；
前記追加された第１の空間視覚イメージ対する調整可能な表示特性を調整しながら前記追加された第１の空間視覚イメージを表示することであって、前記追加された第１の空間視覚イメージ対する前記調整可能な表示特性は、ＲＧＢ値、透明度、コントラスト比、明るさ、又はそれらの組み合わせのうちの少なくとも１つを含む、表示することと；
前記追加された第２の空間視覚イメージ対する調整可能な表示特性を調整しながら前記追加された第２の空間視覚イメージを表示することであって、前記追加された第２の空間視覚イメージ対する前記調整可能な表示特性は、ＲＧＢ値、透明度、コントラスト比、明るさ、又はそれらの組み合わせのうちの少なくとも１つを含む、表示することと；
を含む、
請求項２５に記載の少なくとも１つの機械可読媒体。
【手続補正２】
【補正対象書類名】明細書
【補正対象項目名】０００９
【補正方法】変更
【補正の内容】
【０００９】
そして前記制御部は認識イメージに前記認識イメージの視覚的認識を抑制する認識抑制イメージをオーバーラップして前記ディスプレイに表示して前記認識抑制イメージの濃度値が変わるように前記ディスプレイを制御し、前記使用者操作部を通じて視認度変更確認信号が入力される場合、前記視認度変更確認信号が入力される時の前記認識抑制イメージの濃度値を認識度情報として保存することが好ましい。
【国際調査報告】
2021514209.tif 000017
2021514209.tif 000018
2021514209.tif 000019
2021514209.tif 000020